(57)【要約】      （修正有）【課題】柔軟性があるパッドの寿命を長くできる吸着式の吊り具を提供する。【解決手段】天板１１の下に第一パッド１２と第二パッド１３が配設された吸着式の吊り具において、第一パッドは柔軟性がある素材であり、第二パッドは柔軟性がない素材であり、第二パッドの外側又は内側に第一パッドを接触させて配置する。荷役物を吸着する前の時点の第一パッドの下面の高さ位置は第二パッドの下面より下に位置し、荷役物を吸着完了の時点では第一パッドが変形し、第二パッドの下面が荷役物に埋没し第一パッドの下面より下に位置する。第一パッドの変形量が抑えられ、寿命が長くなる。【選択図】図５
0003189092.tif 000002
【実用新案登録請求の範囲】
【請求項１】
荷役物は加圧すると加圧した部分又は加圧した周辺が凹み、吊り具は支持部に天板が取付けられ、天板の下に第一パッドと第二パッドが配設された吸着式の吊り具において、第一パッドは柔軟性がある素材であり、第二パッドは柔軟性がない素材であり、第二パッドの外側に第一パッドを接触させて配置し、荷役物を吸着する前の時点の第一パッドの下面の高さ位置は第二パッドの下面より下に位置し、荷役物を吸着完了の時点は第二パッドの下面が荷役物に埋没し第二パッドの下面の高さ位置は第一パッドの下面より下に位置するように第一パッドが変形することを特徴とする吸着式の吊り具。
【考案の詳細な説明】
【技術分野】
【０００１】
本考案は、ゴム素材などを加圧すると加圧した部分やその周辺が凹む荷役物を吸着して持ち上げる吊り具に関するものである。
【背景技術】
【０００２】
従来技術を図８を用いて説明する。図８は、吸着式の吊り具の断面図である。吊り具３１は、支持部３２、天板３３、パッド３４、吸引パイプ３５で構成されている。支持部３２には、天板３３が取付けられている。天板３３には、吸引パイプ３５とパッド３４が配設されている。パッド３４は、発泡素材であり柔軟性がある。荷役物３６は、ゴム素材で弾力性があり、加圧すると加圧した部分やその周辺が凹む。吸引パイプ３５はホース（図示せず）が繋がれており、また、パッド３４が荷役物３６に接触しており、荷役物３６が吸着されている。パッド３４は柔軟性があるので、荷役物３６の表面が平らでなくとも、形状に合う。よって、吊り具３１を荷役物運搬機（図示せず）のアーム（図示せず）の先端に配設することで、荷役物３６を吊り上げて運搬ができる。
【０００３】
柔軟性のあるパッド３４は、荷役物３６のある程度の形状に合わせ吸着できる。しかし、吸着することでパッド３４の変形が起こる。また、例えば３０ｋｇの荷役物３６を吊り上げると、更にパッド３４の変形が起こる。それらの変形により、パッド３４の取付部（図示せず）やパッド３４の素材同士の接着部がはがれ易くなり、パッド３４の交換が頻繁になるという不具合があった。
【０００４】
また、特許文献１の様な吊り具でも、交換が頻繁であった。また、特許文献２の様に、柔軟性のある第一リップ部と第二リップ部がある吊り具もあるが、交換が頻繁であった。
【先行技術文献】
【特許文献】
【０００５】
【特許文献１】特開２０００−１０８０６７号公報
【特許文献２】特開平９−１９３０６９号公報
【考案の概要】
【考案が解決しようとする課題】
【０００６】
解決しようとする問題点は、ゴム素材などの荷役物を吸着する吊り具で、パッドの寿命が短い点である。
【課題を解決するための手段】
【０００７】
本考案は、第一パッドと第二パッドを有し、第二パッドは硬質で吸着時に変形しない素材であり、第二パッドの下面が荷役物に埋没することを最も主要な特徴とする。
【考案の効果】
【０００８】
本考案の吸着式の吊り具は、パッドの寿命が長くなる利点がある。
【図面の簡単な説明】
【０００９】
【図１】図１は荷役物運搬機を示した概要図である。（実施例１）
【図２】図２は吸着式の吊り具の概要図である。（実施例１）
【図３】図３は吸着式の吊り具の断面図である。（実施例１）
【図４】図４は吸着式の吊り具の断面図と荷役物である。（実施例１）
【図５】図５は吸着式の吊り具の断面図と荷役物である。（実施例１）
【図６】図６は吸着式の吊り具の断面図と荷役物であり、パットの下面の拡大図である。
【図７】図７は吸着式の吊り具の断面図と荷役物であり、パットの下面の拡大図である。
【図８】図8は従来例の吸着式の吊り具の断面図である。
【考案を実施するための形態】
【００１０】
第一パッドと第二パッドを有し、第二パッドは硬質で吸着時に変形しない素材であり、第二パッドの下面を荷役物に埋没させて、第一パッドの変形量を抑えることで第一パッドの寿命を長くした。
【実施例１】
【００１１】
図１は、荷役物運搬機を示した概要図である。荷役物運搬機１は、本体部２、旋回台３、台座４、アーム５、操作部６、吊り具７で構成されている。荷役物８は、吸着式の吊り具７に吸着されている。作業者９が、操作部６で吸着や昇降の操作を行い、荷役物８を移載させる。荷役物８は、ゴム素材などであり、加圧すると加圧した部分やその周辺が凹む。荷役物８は、ゴム素材に限らず、加圧すると加圧した部分やその周辺が凹むものを対象としている。
【００１２】
図２は、吸着式の吊り具の概要図である。吊り具７は、支持部１０、天板１１、第一パッド１２、第二パッド（図示せず）、吸引パイプ（図示せず）で構成されている。支持部１０には、天板１１が取付けられている。天板１１には、吸引パイプ（図示せず）と第一パッド１２と第二パッド（図示せず）が配設されている。
【００１３】
図３は、吸着式の吊り具の断面図である。吊り具７は、支持部１０、天板１１、第一パッド１２、第二パッド１３、吸引パイプ１４で構成されている。支持部１０には、天板１１が取付けられている。天板１１には、吸引パイプ１４と第一パッド１２と第二パッド１３が配設されている。吸引パイプ１４はホース（図示せず）が繋がれている。第二パッド１３の外側に第一パッド１２を接触させて配置している。第一パッド１２は、柔軟性がある素材であり、例えば発泡性のスポンジである。第二パッド１３は、柔軟性がない無い素材であり、例えば鉄など金属製である。
【００１４】
図４は、吸着式の吊り具の断面図と荷役物である。吊り具７は、図３と同様の符号である。図４の状態は、荷役物８に第一パッド１２の下面が触れた状態である。荷役物８は、ゴム素材などであり、加圧すると加圧した部分やその周辺が凹む。
【００１５】
図５は、吸着式の吊り具の断面図と荷役物である。吊り具７は、図３と同様の符号である。図５の状態は、荷役物８に第二パッド１３の下面が荷役物８に埋没した状態である。荷役物８は、ゴム素材などであり、加圧すると加圧した部分やその周辺が凹む。第一パッド１２は、柔軟性がある素材であり荷役物８の上面に押されて変形し縮んでいる。
【００１６】
図６は、吸着式の吊り具の断面図と荷役物であり、パットの下面の拡大図である。図６は、図４の図の左側の第一パッド１２と第二パッド１３と荷役物８である。第一パッド１２の下面が荷役物８に触れている。
【００１７】
図７は、吸着式の吊り具の断面図と荷役物であり、パットの下面の拡大図である。図７は、図５の図の左側の第一パッド１２と第二パッド１３と荷役物８である。荷役物８に第二パッド１３の下面が荷役物８に埋没した状態である。第一パッド１２は、柔軟性がある素材であり荷役物８の上面に押され変形し縮んでいる。
【００１８】
図１から図７を用いて説明する。図３の様に、荷役物８を吸着する前の時点の第一パッド１２の下面の高さ位置は、第二パッド１３の下面より下に位置している。図３の吊り具７の状態から、作業者９が操作部６を操作して荷役物８の上面に第一パッド１２を接触させる。次に、操作部６に配置された吸着ボタン（図示せず）を押して、吸着を開始させる。荷役物８の上面は、多少の凹凸があるので、更に下降させる。吊り具７を下降させると、第一パッド１２の下面全体が荷役物８に触れて、図４・図６の状態になり、第一パッド１２の内側の空気が吸引される。第一パッド１２は柔軟性がある素材なので、更に、下降させると、第二パッド１３が荷役物８の上面に触れる。更に、下降させると、第二パッド１３は柔軟性がないので、第二パッド１３の下面が荷役物８に埋没する。第二パッド１３が埋没した状態が図５・図７である。この時点で、荷役物８は吊上げられる状態に吸引されている。第一パッド１２が変形するから、荷役物８を吸着完了の時点は、第二パッド１３の下面が荷役物８に埋没し、第二パッド１３の下面の高さ位置は第一パッド１２の下面より下に位置している。次に、上昇させれば、図１の状態となる。第二パッド１３を荷役物８に埋没させるは、吊り具７を下降させる方法と、吸引力で埋没させる方法がある。
【産業上の利用可能性】
【００１９】
荷役物８は、ゴム素材だけでなく、加圧すると加圧した部分やその周辺が凹むものであれば、様々な荷役物にも適用できる。
【符号の説明】
【００２０】
１    荷役物運搬機
２    本体部
３    旋回台
４    台座
５    アーム
６    操作部
７    吊り具
８    荷役物
９    作業者
１０  支持部
１１  天板
１２  第一パッド
１３  第二パッド
１４  吸引パイプ
３１  吊り具
３２  支持部
３３  天板
３４  パッド
３５  吸引パイプ
３６  荷役物
【図１】
0003189092.tif 000003
【図２】
0003189092.tif 000004
【図３】
0003189092.tif 000005
【図４】
0003189092.tif 000006
【図５】
0003189092.tif 000007
【図６】
0003189092.tif 000008
【図７】
0003189092.tif 000009
【図８】
0003189092.tif 000010